(57)【要約】      （修正有）【課題】キー操作に当ってキーに十分に大きな力を伝えることができ、誤りなく、且つ円滑にキー操作ができる、キー支持装置を提供する。【解決手段】施解錠を行うためのキーを支持するキー支持装置１１は、前後方向に延びる棒状の支持本体１２と、支持本体１２の前端部分から後方へ向けて掘削成形され、キー１の偏平な手持ち部１ｂが収容されるキー収容孔１３と、支持本体１２の長手方向後半部分において支持本体１２に対して略直角方向へ延びて設けられた把持部材１４と、を備え、把持部材１４は、手指が挿通し得る環状構造に成形されていることを要旨とする。環状構造の把持部材１４を有するキー支持装置１１にキー１を装着し、キー１の部分を錠前の鍵穴へ差し込み、把持部材１４をつかんで回転操作すると、錠前を楽に動作させて施錠、又は解錠することができる。【選択図】図４
0003229449.tif 000002
【実用新案登録請求の範囲】
【請求項１】
前後方向に延びる棒状の支持本体と、
前記支持本体の前端部分から後方へ向けて掘削成形され、鍵の偏平なグリップ部が収容されるキー収容孔と、
前記支持本体の長手方向後半部分において当該支持本体に対して略直角方向へ延びて設けられた把持部材と、を備え、
前記把持部材は、手指が挿通し得る環状構造に成形されている、
ことを特徴とするキー支持装置。
【請求項２】
キーのグリップ部とキー収容孔は、高さ或いは幅寸法が合致するように緊密な寸法関係に設定されていることを特徴とする請求項１に記載のキー支持装置。
【請求項３】
把持部材は、支持本体に対して、下方またはそれ以外の略直角方向へ延びて設けられていることを特徴とする請求項１又は２に記載のキー支持装置。
【請求項４】
把持部材は、長円形、矩形状、或いはその他の形状の環状構造に成形されていることを特徴とする請求項１乃至３のいずれかに記載のキー支持装置。
【考案の詳細な説明】
【技術分野】
【０００１】
本考案は、キー支持装置、特にキーによる錠前の施解錠操作を楽に行えるようにしたキー支持装置に関するものである。
【背景技術】
【０００２】
従来、錠前を施解錠操作するには、キーを錠前のキー穴に差し込んで、そのキーのグリップ部分（平板状部分）を手指でつまんで回転操作することによって操作していた。キーの構造は一般的に知られた構造であり、その一例としては、図５に示されたものがある。
【０００３】
このキー１は、棒状に成形され錠前装置の鍵穴に差し込まれるキー作用部１aと、平板状に成形されキー作用部１aの基端部に一体的に設けられたグリップ部１ｂとを有する。キー１の使用者が錠前装置を施解錠するためには、キー１を鍵穴に差し込み、次にキー１を回転させて施解錠操作を行うことができる。
【考案の概要】
【考案が解決しようとする課題】
【０００４】
しかしながら、上述した従来のキー１の操作では、時によってはキー１の回転操作に難儀を生ずることがある。鍵穴に差し込んだキー１を回転させるという操作は、健常者や若者にとっては特に体力や腕力を必要とするものではなく、操作上のもたつきやミスは生じないが、病人や高齢者、或いは身体障害者にとってはキー１のグリップ部１ｂをつまんだだけではこのグリップ部１ｂに十分に力を伝えることができず、操作を誤ったり、操作に手間取ったりすることがあり得る。
【０００５】
本考案は上述のような従来のキー操作における不具合に鑑みてなされたもので、その目的は、キー操作に当ってキーに十分に大きな力を伝えることができ、誤りなく、且つ円滑にキー操作ができる、キー支持装置を提供することである。
【課題を解決するための手段】
【０００６】
本考案は、上記目的を達成するため、施解錠を行うためのキーを支持する支持装置であいて、前後方向に延びる棒状の支持本体と、前記支持本体の前端部分から後方へ向けて掘削成形され、鍵の偏平な手持ち部が収容される保持孔と、前記支持本体の長手方向後半部分において当該支持本体に対して略直角方向へ延びて設けられた把持部材と、を備え、前記把持部材は、手指が挿通し得る環状構造に成形されていることを要旨とする。
【０００７】
キーのグリップ部とキー収容孔は、高さ或いは幅寸法が合致するように緊密な寸法関係に設定されていることが好ましい。
【０００８】
また、把持部材は、支持本体に対して、下方またはそれ以外の略直角方向へ延びて設けられることができ、自由度が高い。また、把持部材は、長円形、矩形状、或いはその他の形状の環状構造に成形されることができる。
【考案の効果】
【０００９】
本考案のキー支持装置は、上記構成により、キーを装着することによりキーに対して大きな操作力を伝えることができ、鍵穴に差し込まれたキーを操作するに当ってキーを楽に回転させることができ、誤りなく、且つ円滑に錠前の施錠、解錠が行い易くなり、キー操作性が向上する。
【図面の簡単な説明】
【００１０】
【図１】本考案の一実施の形態に係るキー支持装置をキー収容孔面の側から見た正面図である。
【図２】上記実施の形態に係るキー支持装置を後方から見た背面図である。
【図３】上記実施の形態に係るキー支持装置の一部断面側面図である。
【図４】上記実施の形態に係るキー支持装置にキーが取り付けられた状態を示す一部断面側面図である。
【図５】上記実施の形態に係るキー支持装置に装着されるキーの一般例を示す正面図である。
【考案を実施するための形態】
【００１１】
以下、本考案の一実施の形態を添付の図面を参照して詳細に説明する。図１は本考案の一実施の形態に係るキー支持装置をキー収容孔面の側から見た正面図である。図２は本実施の形態に係るキー支持装置を後方から見た背面図である。図３は本実施の形態に係るキー支持装置の一部断面側面図である。
【００１２】
図１乃至図３において、符号１１はキー支持装置を表し、１２はキー支持装置１１の支持本体を表す。１３は支持本体１２に設けられたキー収容孔を示し、１４は支持本体１２に設けられた把持部材を示す。支持本体１２は前後方向に延びる棒状体から成る。ここで、前後方向の「前方向」とは、キー収容孔１３が形成されている側、すなわち、図３で見て左方を示し、「後方向」とはその反対方向を示す。
【００１３】
支持本体１２の構造は、図１、図２に示されるように正面又は背面から見ると幅が狭い扁平構造であり、また、図３に示されるように側面から見ると所定の前後方向長さと高さ寸法を持つ矩形状の構造を有する。支持本体１２の前端部分にはキー収容孔１３が穿設されている。キー収容孔１３は支持本体１２の前端部分に掘削成形されて支持本体１２の前端部分から後方へ向けて延びている。このキー収容孔１３には鍵の偏平な手持ち部（図５のキー１についてみれば、グリップ部１ｂ）が収容される。
【００１４】
把持部材１４は、支持本体１２の長手方向後半部分において当該支持本体１２に対して略直角方向へ延びて設けられている。図３においては、把持部材１４は支持本体１２に対して略直角方向下方へ延びているが、この構造に限定されるものではなく、略直角方向下方以外の方向（例えば、横又は斜め方向）に延びていてもよい。また本実施の形態において、把持部材１４は、長円形の環状に成形されている。この把持部材１４は、長円形以外にも矩形状その他の形状であっても良い。そして、環状構造による通し穴１７部分には手指を挿通することが可能である。なお、把持部材１４は、支持本体１２と一体に成形されてもよいし、或いは別体構造に製作されて着脱自在に取り付けられてもよい。
【００１５】
支持本体１２の後端から前方へは、キー収容孔１３に到達するネジ孔１５が形成され、このネジ孔１５にはネジ１６がねじ込まれている
【００１６】
かかる構成を有するキー支持装置１１の動作について説明する。図５に示されたキー１を錠前の施解錠について使用したいとき、操作者は、当該キー１のグリップ部１ｂをキー支持装置１１のキー収容孔１３に挿入する。このようにキー１が収容された状態が図４に示されている。キー１のグリップ部１ｂとキー収容孔１３は、高さ寸法や幅寸法が合致するように緊密な寸法関係に設定されている。よって、キー１はキー支持装置１１にしっかりと固定保持されている。この状態でキー支持装置１１を持ってキー１の部分を錠前の鍵穴へ差し込み、把持部材１４をつかんで回転操作すると、梃子の原理で把持部材１４からキー１へ十分な大きさの回転力が伝えられ、錠前の鍵を確実に動作させて施錠、又は解錠することができる。
【産業上の利用可能性】
【００１７】
環状構造の把持部材を有するキー支持装置にキーを装着し、キーの部分を錠前の鍵穴へ差し込み、把持部材をつかんで回転操作すると、錠前の鍵を楽に動作させて施錠、又は解錠することができ、有用である。
【符号の説明】
【００１８】
１  キー
１１  キー支持装置
１２  支持本体
１３  キー収容孔
１４  把持部材
１５  ネジ孔
１６  ネジ
１７  通し穴
【図１】
0003229449.tif 000003
【図２】
0003229449.tif 000004
【図３】
0003229449.tif 000005
【図４】
0003229449.tif 000006
【図５】
0003229449.tif 000007